(57)【特許請求の範囲】
【請求項１】
排尿口位置の前後左右にわたり、排泄物を吸収保持する吸収体と、この吸収体の表側に位置する一層又は複数層の液透過性シート層とを備えた、使い捨ておむつにおいて、
前記吸収体及び液透過性シート層のうち表裏方向に隣接する少なくとも一組の部材間をホットメルト接着剤により接着するとともに、前記排尿口位置を含み、かつ前記吸収体の周縁より内側に離間した領域を、その周囲の領域よりも前記ホットメルト接着剤の塗布面積率が高い拡散促進領域とし、
前記液透過性シート層として、おむつ表面を構成するトップシート、前記拡散促進領域と同じか又はそれよりも広い親水性の中間シートと、及び前記吸収体を包装する包装シートのうち前記吸収体の表側に位置する部分を、表側から裏側に向かってこの順に備えており、
前記中間シートを前記包装シートのうち前記吸収体の表側に位置する部分に接着する中間シートホットメルト接着剤が、前記拡散促進領域では前記周囲の領域よりも塗布面積率が高くなるように塗布されている、
ことを特徴とする、使い捨ておむつ。
【請求項２】
前記中間シートが前記拡散促進領域よりも広い、請求項１記載の使い捨ておむつ。
【請求項３】
前記トップシートをその裏側に隣接する部材に接着するトップシートホットメルト接着剤、及び前記包装シートのうち前記吸収体の表側に位置する部分を前記吸収体の表面に接着する包装シートホットメルト接着剤を有し、
前記トップシートホットメルト接着剤の塗布目付け及び前記包装シートホットメルト接着剤の塗布目付けが、前記中間シートホットメルト接着剤の塗布目付けより低い、
請求項１又は２記載の使い捨ておむつ。
【請求項４】
排尿口位置の前後左右にわたり、排泄物を吸収保持する吸収体と、この吸収体の表側に位置する一層又は複数層の液透過性シート層とを備えた、使い捨ておむつにおいて、
前記吸収体及び液透過性シート層のうち表裏方向に隣接する少なくとも一組の部材間をホットメルト接着剤により接着するとともに、前記排尿口位置を含み、かつ前記吸収体の周縁より内側に離間した領域を、その周囲の領域よりも前記ホットメルト接着剤の塗布面積率が高い拡散促進領域とし、
前記吸収体の裏側から幅方向両側を通り表側に回り込み、前記吸収体の表側で端部相互が重ねられてなる包装シートを備えており、
前記包装シートの端部相互が重なる部分が前記拡散促進領域を通るように設けられている、
ことを特徴とする、使い捨ておむつ。
【請求項５】
前記液透過性シート層として、おむつ表面を構成するトップシートを備えており、前記拡散促進領域では前記トップシートの表面に凹凸が形成されておらず、その周囲の領域では前記トップシートの表面に多数の凹凸が形成されている、請求項１〜４のいずれか１項に記載の使い捨ておむつ。
【請求項６】
拡散促進領域の幅方向両端部又は拡散促進領域の幅方向外側に、おむつ表面から吸収体まで食い込む側部エンボス凹部がそれぞれ形成されている、請求項１〜５のいずれか１項に記載の使い捨ておむつ。
【請求項７】
拡散促進領域における前記ホットメルト接着剤の塗布面積率が９０〜１００％であり、前記周囲の領域における前記ホットメルト接着剤の塗布面積率が５〜６０％である、請求項１〜６のいずれか１項に記載の使い捨ておむつ。
【発明の詳細な説明】
【技術分野】
【０００１】
本発明は、使い捨ておむつにおける拡散性の向上に関するものである。
【背景技術】
【０００２】
使い捨ておむつにおいては、種々の吸収性能が要求され、その代表的なものの一つに拡散性がある。拡散性は、吸収体における吸収に利用される面積の広さを表しているということができる。よって、拡散性が低いと、吸収体全体としては吸収量が多く確保されていても、吸収が飽和しやすく、漏れやすくなる。このため、従来より、拡散性を向上するための技術が種々提案されてきた。
【０００３】
このような拡散性向上技術の代表的なものとして、吸収体に前後方向に延びる溝（スリットや凹部）を形成することが知られている（例えば特許文献１参照）。
【０００４】
しかしながら、吸収体に溝を形成する場合、拡散性を重視して溝を大きくした場合、吸収体にヨレやワレが発生しやすくなるといった問題点や、溝の分だけ吸収量が低下するといった問題点がある。
【先行技術文献】
【特許文献】
【０００５】
【特許文献１】特開２０１０−１３１２０６号公報
【特許文献２】特開２０１１−１８９０６５号公報
【発明の概要】
【発明が解決しようとする課題】
【０００６】
そこで、本発明の主たる課題は、吸収体のヨレやワレの発生及び吸収量の低下を防止しつつ、拡散性を向上させる技術を提案することにある。
【課題を解決するための手段】
【０００７】
上記課題を解決した使い捨ておむつは次記のとおりである。
＜第１の態様＞
排尿口位置の前後左右にわたり、排泄物を吸収保持する吸収体と、この吸収体の表側に位置する一層又は複数層の液透過性シート層とを備えた、使い捨ておむつにおいて、
前記吸収体及び液透過性シート層のうち表裏方向に隣接する少なくとも一組の部材間をホットメルト接着剤により接着するとともに、前記排尿口位置を含み、かつ前記吸収体の周縁より内側に離間した領域を、その周囲の領域よりも前記ホットメルト接着剤の塗布面積率が高い拡散促進領域とした
ことを特徴とする、使い捨ておむつ。
【０００８】
（作用効果）
ホットメルト接着剤は使い捨ておむつの部材接着に汎用されており、吸収体の表側における表裏方向に隣接する部材間の接着にも用いられているが、ホットメルト接着剤は液透過性を有しないため、吸収体の表側においては塗布パターンを間欠にし、かつ塗布面積率も可能な限り低く抑えていた。本使い捨ておむつは、このようなホットメルト接着剤の影響を逆に利用するものであり、拡散促進領域では、その周囲の領域よりもホットメルト接着剤の塗布面積率（単位面積当たりの、接着剤が平面方向に連続する部分の面積の割合）が高いことにより、排尿があると、排尿口近傍では周囲よりも吸収体側へ透過しにくく、その結果として周囲への移動（拡散）が促進されるようになる。本使い捨ておむつでは通常使用されるホットメルト接着剤の塗布パターンを変更するだけであるため、吸収体に溝を設ける手法と異なり、吸収体のヨレやワレの発生及び吸収量の低下を防止しつつ、拡散性を向上させることができる。
【０００９】
なお、特許文献２記載のものは、ウエットバック（逆戻り）を防止するために撥水部を設けるものであり、この撥水部は拡散性を向上させる作用も有するが、撥水部を設ける加工が必要になり、コストが嵩むという問題点がある。これに対し、本使い捨ておむつでは通常使用されるホットメルト接着剤の塗布パターンを変更するだけであるため、そのような問題は根本的に発生しないという利点がある。
【００１０】
ここで、本使い捨ておむつにおいて、「少なくとも一組の部材間をホットメルト接着剤により接着するとともに、そのホットメルト接着剤の塗布面積率を、前記排尿口位置を含み、かつ前記吸収体の周縁より内側に離間した拡散促進領域では、その周囲の領域よりも高く」することには、当該一組の部材間を接着するホットメルト接着剤の層が拡散促進領域及びその周囲の領域にわたり存在している形態と、当該一組の部材間を接着するホットメルト接着剤の層が拡散促進領域にのみ存在し、その周囲の領域には存在していない形態の両方が含まれ、後者の形態には、周囲の領域では当該一組の部材が接着されない形態の他、一組の部材の一方が拡散促進領域にしか存在しない形態も含まれる。
【００１１】
＜第２の態様＞
前記液透過性シート層として、おむつ表面を構成するトップシート、前記拡散促進領域と同じか又はそれよりも広い親水性の中間シートと、及び前記吸収体を包装する包装シートのうち前記吸収体の表側に位置する部分を、表側から裏側に向かってこの順に備えており、
前記中間シートを前記包装シートのうち前記吸収体の表側に位置する部分に接着する中間シートホットメルト接着剤が、前記拡散促進領域では前記周囲の領域よりも塗布面積率が高くなるように塗布されている、
第１の態様の使い捨ておむつ。
【００１２】
（作用効果）
使い捨ておむつにおいては、吸収体の表側に位置する液透過性シート層として、上記のようなトップシート、中間シート及び包装シートを備えたものとが一般的となっている。この場合、拡散促進領域の塗布面積率を高くするホットメルト接着剤としては、（イ）トップシートをその裏側に隣接する部材に固定するために、トップシートの裏面に塗布されるトップシートホットメルト接着剤、（ロ）中間シートをその裏側に隣接する部材に固定するために、中間シートの裏面に塗布される中間シートホットメルト接着剤、（ハ）包装シートのうち吸収体の表面上に位置する部分を吸収体に固定するために、包装シートの内面に塗布される包装シートホットメルト接着剤が考えられる。
【００１３】
しかし、トップシートホットメルト接着剤の塗布面積率を拡散促進領域において増加すると、ホットメルト接着剤が肌に接触し、付着するおそれがある。この場合、トップシート上で尿の拡散性が向上するため、その程度によっては漏れにつながるおそれもある。また、包装シートホットメルト接着剤の塗布面積率を拡散促進領域において増加した場合、肌への接触は防止できるが、直ぐ裏側の部位への尿供給が阻害されるおそれがあり、吸収量が低下するおそれがある。これらに対して、中間シートホットメルト接着剤の塗布面積率を拡散促進領域において増加した場合には、主に中間シート内において前後左右方向に拡散するため、他の形態で想定される問題は発生しにくいものとなる。
【００１４】
＜第３の態様＞
前記中間シートが前記拡散促進領域よりも広い、第２の態様の使い捨ておむつ。
【００１５】
（作用効果）
このように構成すると、中間シートの周縁側の部分に、ホットメルト接着剤の塗布面積率が拡散促進領域よりも狭い、つまり液が拡散しにくく、裏側に透過しやすい部分が形成されるため、中間シート内で拡散された尿が裏側に効率良く供給されるようになる。
【００１６】
＜第４の態様＞
前記トップシートをその裏側に隣接する部材に接着するトップシートホットメルト接着剤、及び前記包装シートのうち前記吸収体の表側に位置する部分を前記吸収体の表面に接着する包装シートホットメルト接着剤を有し、
前記トップシートホットメルト接着剤の塗布目付け及び前記包装シートホットメルト接着剤の塗布目付けが、前記中間シートホットメルト接着剤の塗布目付けより低い、
第２又は３の態様の使い捨ておむつ。
【００１７】
（作用効果）
トップシート、中間シート、包装シート及び吸収体をそれぞれ隣接部分においてホットメルト接着剤により接着する場合、上述のような塗布目付けの関係とすると、尿の拡散はトップシート上よりも中間シート上で主に行われ、拡散後の尿の吸収体への移行も速やかとなるため好ましい。なお、ホットメルト接着剤の塗布目付けとは、単位面積当たりの塗布重量（ｇ／ｍ2）を意味する。
【００１８】
＜第５の態様＞
前記吸収体の裏側から幅方向両側を通り表側に回り込み、前記吸収体の表側で端部相互が重ねられてなる包装シートを備えており、
前記包装シートの端部相互が重なる部分が前記拡散促進領域を通るように設けられている、
第１〜４のいずれか１つの態様の使い捨ておむつ。
【００１９】
（作用効果）
包装シートの重なり部分は、非重なり部分と比較して液透過性が低いため、上記のように拡散促進領域を通るように設けることで、拡散促進領域の拡散性をより一層向上させることができる。
【００２０】
＜第６の態様＞
前記液透過性シート層として、おむつ表面を構成するトップシートを備えており、前記拡散促進領域では前記トップシートの表面に凹凸が形成されておらず、その周囲の領域では前記トップシートの表面に多数の凹凸が形成されている、第１〜５のいずれか１つの態様の使い捨ておむつ。
【００２１】
（作用効果）
拡散促進領域の周囲の領域では、拡散性を低下させ、吸収体への吸収を促進させないと、漏れにつながるおそれがある。よって、上記のように拡散促進領域の周囲の領域ではトップシートの表面に多数の凹凸を形成し、この凹凸障壁により拡散性を低下させるのは一つの好ましい形態である。
【００２２】
＜第７の態様＞
拡散促進領域の幅方向両端部又は拡散促進領域の幅方向外側に、おむつ表面から吸収体まで食い込む側部エンボス凹部がそれぞれ形成されている、第１〜６のいずれか１つの態様の使い捨ておむつ。
【００２３】
（作用効果）
このような側部エンボス凹部を設けると、幅方向断面形状が、側部エンボス凹部に向かうにつれて厚みが低下する山形状となり、拡散促進領域では排尿位置から側部エンボス凹部に向かう傾斜により拡散性が向上し、拡散促進領域の幅方向外側では側部エンボス凹部に向かう傾斜により幅方向外側への拡散が抑制されるため、拡散性が向上しつつも漏れにくいものとなる。また、側部エンボス凹部により液透過性シート層が吸収体にしっかりと密着し、吸収体への尿の移動が促進されるため、液透過性シート層における液残りが低減し、おむつ表面がさらっとした肌触り（乾燥した肌触り）に保たれる性能を向上させることができる。
【００２４】
＜第８の態様＞
拡散促進領域における前記ホットメルト接着剤の塗布面積率が９０〜１００％であり、前記周囲の領域における前記ホットメルト接着剤の塗布面積率が５〜６０％である、第１〜７のいずれか１つの態様の使い捨ておむつ。
【００２５】
（作用効果）
ホットメルト接着剤の塗布面積率の差は適宜定めれば良いが、上記範囲とすることが望ましい。
【発明の効果】
【００２６】
以上のとおり、本発明によれば、吸収体のヨレやワレの発生及び吸収量の低下を防止しつつ、拡散性を向上できる等の利点がもたらされる。
【図面の簡単な説明】
【００２７】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】パンツタイプ使い捨ておむつの要部のみを示す、おむつを展開した状態における平面図である。
【図７】パンツタイプ使い捨ておむつの要部のみを示す、断面図である。
【図８】パンツタイプ使い捨ておむつの斜視図である。
【図９】内装体の要部のみを示す、図１０（ａ）の６−６断面図である。
【図１０】内装体の要部のみを示す、平面図である。
【図１１】内装体の要部のみを示す、平面図である。
【図１２】内装体の要部のみを示す、平面図である。
【図１３】内装体の要部のみを示す、平面図である。
【図１４】内装体の要部を拡大して示す、断面図である。
【図１５】内装体の要部のみを示す、断面図である。
【図１６】内装体の要部のみを示す、平面図である。
【発明を実施するための形態】
【００２８】
以下、本発明の実施形態について、添付図面を参照しつつ詳説する。
図１〜図８は、パンツタイプ使い捨ておむつの一例１００を示している。断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性伸縮部材の固定部分はこれに代えて又はこれとともにコームガンやシュアラップ塗布などの弾性伸縮部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２９】
本形態のパンツタイプ使い捨ておむつ１００は、前身頃Ｆ及び後身頃Ｂを構成する外装体１２と、前身頃Ｆから股間部を経て後身頃Ｂまで延在するように外装体１２の内側に設けられた内装体２００とを備えており、前身頃Ｆの外装体１２の両側部と後身頃Ｂの外装体１２の両側部とが接合されてサイドシール部１２Ａが形成されることにより、外装体１２の前後端部により形成される開口が装着者の胴を通すウエスト開口ＷＯとなり、外装体１２の幅方向両側におけるサイドシール部１２Ａにより接合されていない部分が脚を通す脚開口部ＬＯとなるたものである。内装体２００は、尿等の排泄物等を吸収保持する部分であり、外装体１２は着用者の身体に対して内装体２００を支えるための部分である。また、符号Ｙは展開状態におけるおむつの全長（前身頃Ｆのウエスト開口ＷＯの縁から後身頃Ｂのウエスト開口ＷＯの縁までの縦方向長さ）を示しており、符号Ｘは展開状態におけるおむつの全幅を示している。
【００３０】
また、本形態のパンツタイプ使い捨ておむつ１００は、サイドシール部１２Ａを有する縦方向範囲（ウエスト開口ＷＯから脚開口ＬＯの上端に至る縦方向範囲）として定まる胴周り領域Ｔと、脚開口ＬＯを形成する部分の前後方向範囲（前身頃Ｆのサイドシール部１２Ａを有する縦方向領域と後身頃Ｂのサイドシール部１２Ａを有する縦方向領域との間）として定まる中間領域Ｌとを有する。胴周り領域Ｔは、概念的にウエスト開口の縁部を形成する「ウエスト部」Ｗと、これよりも下側の部分である「ウエスト下方部」Ｕとに分けることができる。通常、胴周り領域Ｔ内に幅方向伸縮応力が変化する境界（例えば弾性伸縮部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの縦方向の長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間領域Ｌの両側縁は被着者の脚周りに沿うようにコ字状又は曲線状に括れており、ここが装着者の脚を入れる部位となる。この結果、展開状態のパンツタイプ使い捨ておむつは、全体として略砂時計形状をなしている。
【００３１】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側に設けられた、身体側に起立する立体ギャザー６０を示している。
【００３２】
内装体２００の外装体１２に対する固定は、ヒートシール、超音波シールのような素材溶着による接合手段や、ホットメルト接着剤により行うことができる。図示形態では、内装体２００の裏面、つまりこの場合は液不透過性シート１１の裏面及び立体ギャザー６０の取付部分６５に塗布されたホットメルト接着剤により外装体１２の内面に対して固定されている。
【００３３】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３４】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３５】
立体ギャザー６０を設ける場合、トップシート３０の両側部は、液不透過性シート１１と立体ギャザー６０との間を通して、吸収要素５０の裏側まで回り込ませ、液の浸透を防止するために、液不透過性シート１１及び立体ギャザー６０に対して接合するのが好ましい。
【００３６】
トップシート３０は、裏側部材に対する位置ずれを防止する等の目的で、ヒートシール、超音波シールのような素材溶着による接合手段や、トップシートホットメルト接着剤３１により裏側に隣接する部材に固定することが望ましい。図示形態では、トップシート３０はその裏面に塗布されたトップシートホットメルト接着剤３１により中間シート４０の表面及び包装シート５８のうち吸収体５６の表側に位置する部分の表面に固定されている。
【００３７】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、トップシート３０上を常に乾燥した状態とすることができる。中間シート４０は省略することもできる。
【００３８】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３９】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００４０】
中間シート４０は、裏側部材に対する位置ずれを防止する等の目的で、ヒートシール、超音波シールのような素材溶着による接合手段や、中間シートホットメルト接着剤４１により裏側に隣接する部材に固定することが望ましい。図示形態では、中間シート４０はその裏面に塗布された中間シートホットメルト接着剤４１により包装シート５８のうち吸収体５６の表側に位置する部分の表面に固定されている。
【００４１】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、液不透過性シート１１として用いることができる。
【００４２】
液不透過性シート１１は、図示のように吸収要素５０の裏側に収まる幅とする他、防漏性を高めるために、吸収要素５０の両側を回り込ませて吸収要素５０のトップシート３０側面の両側部まで延在させることもできる。この延在部の幅は、左右それぞれ５〜２０ｍｍ程度が適当である。
【００４３】
また、液不透過性シート１１の内側、特に吸収体５６側面に、液分の吸収により色が変化する排泄インジケータを設けることができる。
【００４４】
（立体ギャザー）
立体ギャザー６０は、内装体２００の両側部に沿って前後方向全体にわたり延在する帯状部材であり、トップシート３０上を伝わって横方向に移動する排泄物を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
【００４５】
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状のギャザー弾性伸縮部材６３を長手方向に沿って伸長状態で、幅方向に間隔をあけて複数本固定してなるものである。立体ギャザー６０のうち先端部と反対側に位置する基端部（幅方向においてシート折り返し部分と反対側の端部）は内装体２００の側縁部の裏面に固定された取付部分６５とされ、この取付部分６５以外の部分は取付部分６５から突出する突出部分６６（折り返し部分側の部分）とされている。また、突出部分６６は、幅方向中央側に向かう付け根側部分と、この付け根側部分の先端から幅方向外側に折り返された先端側部分とからなる。この形態は面接触タイプの立体ギャザーであるが、幅方向外側に折り返されない線接触タイプの立体ギャザー（図示略）も採用することができる。そして、突出部分６６のうち前後方向両端部が倒伏状態でトップシート３０の側部表面に対して固定された前後固定部６７とされる一方で、これらの間に位置する前後方向中間部は非固定の自由部分６８とされ、この自由部分６８に前後方向に沿うギャザー弾性伸縮部材６３が伸長状態で固定されている。
【００４６】
立体ギャザー６０の自由部分６８では、ギャザーシート６２の内側層及び外側層の貼り合わせや、その間に挟まれるギャザー弾性伸縮部材６３の固定に、種々の塗布方法によるホットメルト接着剤及びヒートシールや超音波シール等の素材溶着による固定手段の少なくとも一方を用いることができる。ギャザーシート６２の内側層及び外側層の全面を貼り合わせると柔軟性を損ねるため、ギャザー弾性伸縮部材６３の接着部以外の部分は接着しないか弱く接着するのが好ましい。図示形態では、コームガンやシュアラップノズル等の塗布手段によりギャザー弾性伸縮部材６３の外周面にのみホットメルト接着剤を塗布してギャザーシート６２の内側層及び外側層間に挟むことにより、当該ギャザー弾性伸縮部材６３の外周面に塗布したホットメルト接着剤のみで、ギャザーシート６２の内側層及び外側層への細長状弾性伸縮部材の固定と、ギャザーシート６２の内側層及び外側層間の固定とを行う構造となっている。
【００４７】
また、立体ギャザー６０に組み込まれる防水フィルム６４とギャザーシート６２との固定や、前後固定部６７の内装体２００の側部表面への固定に、種々の塗布方法によるホットメルト接着剤、及びヒートシールや超音波シール等の素材溶着による手段の少なくとも一方を用いることができる。図示形態では、防水フィルム６４の固定にホットメルト接着剤のスロット塗布を使用している。また、図示形態の前後固定部６７の固定には、ホットメルト接着剤と素材溶着による手段を組み合わせているが、いずれか一方の手段のみで、これらの固定を行うこともできる。
【００４８】
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコーンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザーシートの間に防水フィルム６４を介在させることもできる。
【００４９】
立体ギャザー６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００５０】
立体ギャザー６０の取付部分６５の固定対象は、内装体２００におけるトップシート３０、液不透過性シート１１、吸収要素５０等適宜の部材とすることができる。
【００５１】
かくして構成された立体ギャザー６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００５２】
立体ギャザー６０の寸法は適宜定めることができるが、乳幼児用紙おむつの場合は、例えば図７に示すように、立体ギャザー６０の起立高さ（展開状態における突出部分６６の幅方向長さ）Ｗ６は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００５３】
なお、図示形態と異なり、内装体２００の左右各側において立体ギャザーを二重に（二列）設けることもできる。
【００５４】
（吸収要素）
吸収要素５０は、吸収体５６と、この吸収体５６の全体を包む包装シート５８とを有する。包装シート５８は省略することもできる。
【００５５】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５６】
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体と立体ギャザー６０の、脚周りへのフィット性が向上するため好ましい。
【００５７】
また、吸収体の寸法は排尿口位置の前後左右にわたる限り適宜定めることができるが、前後方向及び幅方向において、内装体の周縁部又はその近傍まで延在しているのが好ましい。なお、符号５６Ｘは吸収体５６の幅を示している。
【００５８】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の使い捨ておむつに使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００５９】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００６０】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００６１】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６２】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００６３】
必要であれば、高吸収性ポリマー粒子は、吸収体５６の平面方向で散布密度あるいは散布量を調整できる。例えば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００６４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６５】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後からはみ出させ、巻き重なる部分及び前後はみ出し部分の重なり部分をホットメルト接着剤、素材溶着等の接合手段により接合する形態が好ましい。
【００６６】
（外装体）
外装体１２は、図３〜図５に示されるように、二枚のシート材１２Ｓ，１２Ｈをホットメルト接着剤や溶着等の接合手段により張り合わせて形成されたものである。内側に位置する内側シート材１２Ｈはウエスト開口ＷＯの縁までしか延在していないが、外側シート材１２Ｓは内側シート材１２Ｈのウエスト側の縁を回り込んでその内側に折り返されており、この折り返し部分１２ｒは内装体２００のウエスト側端部上までを被覆するように延在されている。
【００６７】
シート材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜３０ｇ／ｍ2程度（外装体１２の総目付けは２０〜６０ｇ／ｍ2程度）とするのが好ましい。
【００６８】
そして、外装体１２には、胴周りに対するフィット性を高めるために、両シート材１２Ｓ，１２Ｈ間に糸ゴム等の細長状弾性伸縮部材１５〜１９が所定の伸長率で設けられている。細長状弾性伸縮部材１５〜１９としては、合成ゴムを用いても、天然ゴムを用いても良い。外装体１２の両シート材１２Ｓ，１２Ｈの貼り合せや、その間に挟まれる細長状弾性伸縮部材１５〜１９の固定には、種々の塗布方法によるホットメルト接着剤及びヒートシールや超音波シール等の素材溶着による固定手段の少なくとも一方を用いることができる。外装体１２全面を強固に固定すると柔軟性を損ねるため、細長状弾性伸縮部材１５〜１９の接着部以外の部分は接着しないか弱く接着するのが好ましい。図示形態では、コームガンやシュアラップノズル等の塗布手段により細長状弾性伸縮部材１５〜１９の外周面にのみホットメルト接着剤を塗布して両シート層１２Ｓ，１２Ｈ間に挟むことにより、当該細長状弾性伸縮部材１５〜１９の外周面に塗布したホットメルト接着剤のみで、両シート層１２Ｓ，１２Ｈへの細長状弾性伸縮部材１５〜１９の固定と、両シート層１２Ｓ，１２Ｈ間の固定とを行う構造となっている。
【００６９】
より詳細には、後身頃Ｂ及び前身頃Ｆのウエスト縁部Ｗにおける内側シート材１２Ｈの内側面と外側シート材１２Ｓの折り返し部分１２ｒの外側面との間には、幅方向全体にわたり連続するように、複数のウエスト縁部弾性伸縮部材１７が上下方向に間隔を空けて、かつ所定の伸長率で幅方向に沿って伸長された状態で固定されている。また、ウエスト縁部弾性伸縮部材１７のうち、ウエスト下方部Ｕに隣接する領域に配設される１本または複数本については、内装体２００と重なっていてもよいし、内装体２００と重なる幅方向中央部を除いてその幅方向両側にそれぞれ設けてもよい。このウエスト縁部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト縁部弾性伸縮部材１７は、その全てが同じ太さと伸長率にする必要はなく、例えばウエスト縁部Ｗの上部と下部で弾性伸縮部材の太さと伸長率が異なるようにしてもよい。
【００７０】
また、前身頃Ｆ及び後身頃Ｂのウエスト下方部Ｕにおける内側シート材１２Ｈの外側面と外側シート材１２Ｓの内側面との間には、内装体２００と重なる幅方向中央部を除いて、その上側および幅方向両側の各部位に、幅方向全体にわたり連続するように、細長状弾性伸縮部材からなるウエスト下方部弾性伸縮部材１５，１９が複数本、上下方向に間隔を空けて、かつ所定の伸長率で幅方向に沿って伸長された状態で固定されている。
【００７１】
ウエスト下方部弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００７２】
また、前身頃Ｆ及び後身頃Ｂの中間領域Ｌにおける内側シート材１２Ｈの外側面と外側シート材１２Ｓの内側面との間には、内装体２００と重なる幅方向中央部を除いて、その幅方向両側の各部位に、幅方向全体にわたり連続するように、細長状弾性伸縮部材からなる中間領域弾性伸縮部材１６が複数本、上下方向に間隔を空けて、かつ所定の伸長率で幅方向に沿って伸長された状態で固定されている。
【００７３】
中間領域弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００７４】
なお、図示のように、ウエスト下方部弾性伸縮部材及び中間領域弾性伸縮部材１５，１９，１６，１８が、内装体２００と重なる部分の一部又は全部を除いてその幅方向両側にそれぞれ設けられていると、内装体２００が幅方向に必要以上に収縮することがなく、モコモコと見た目が悪かったり吸収性が低下したりすることがない。この形態には、幅方向両側にのみ弾性伸縮部材が存在する形態の他、内装体２００を横切ってその幅方向一方側から他方側まで弾性伸縮部材が存在しているが、内装体２００と重なる部分の一部又は全部１２Ｃでは弾性伸縮部材が切断され、収縮力が作用せず（実質的には、弾性伸縮部材を設けないことに等しい）に、その幅方向両側のみが収縮力作用部分として構成されている形態も含まれる。もちろんウエスト下方部弾性伸縮部材及び中間領域弾性伸縮部材１５，１９，１６，１８の配設形態は上記例に限るものではなく、内装体２００と重なる部分を含めて幅方向全体にわたり伸縮力が作用するように、ウエスト下方部弾性伸縮部材及び中間領域弾性伸縮部材１５，１９，１６，１８の一部または全部を、内装体２００を横切ってその幅方向一方側から他方側まで設けることもできる。
【００７５】
また、図示例では、前身頃Ｆから後身頃Ｂまでを一体的な外装体１２により連続的に覆っているが、外装体が、装着者の胴周りのうち腹側を覆う腹側外装体と背側を覆う背側外装体とに分割されており、腹側外装体の幅方向中央部内面に内装体の前端部がホットメルト接着剤等により連結されるとともに、背側外装体の幅方向中央部内面に内装体の後端部がホットメルト接着剤等により連結されており、腹側外装体と背側外装体とが股間側で連続しておらず、離間されている形態も採用することができる。この離間距離は１５０〜２５０ｍｍ程度とすることができる。この場合、内装体における液不透過性シートの裏面には、内装体の裏面全体を覆うように、あるいは腹側外装体と背側外装体との間に露出する部分全体を覆うように、股間部外装体を固定することもできる。股間部外装体としては、前述した外装体に用いられるものと同様の素材を用いることができる。
【００７６】
（拡散促進領域）
特徴的には、図９及び図１０（ａ）に示すように、排尿口位置７１を含み、かつ吸収体５６の周縁より内側に離間した領域は、吸収体５６及びその表側において表裏方向に隣接する少なくとも一組の部材間を接着するホットメルト接着剤３１，４１，５１の塗布面積率が周囲の領域よりも高い拡散促進領域７０とされる。つまり、本発明の拡散促進領域７０は、排尿口位置７１を含み、かつホットメルト接着剤３１，４１，５１の影響により液が裏側に浸透しにくく、液が表面に沿う方向に拡散しやすい領域を意味するものであり、例えば吸収体の面積の１０〜６０％程度の排尿口位置７１を含む領域である。よって、拡散促進領域７０では、その周囲の領域よりもホットメルト接着剤３１，４１，５１の塗布面積率（単位面積当たりの接着剤塗布面積の割合）が高いことにより、排尿があると、図９に白抜き矢印で示すように、排尿口位置７１近傍では周囲よりも吸収体５６側へ透過しにくく、その結果として周囲への移動（拡散）が促進されるようになる。よって本発明では通常使用されるホットメルト接着剤３１，４１，５１の塗布パターンを変更するだけで済むため、吸収体５６に溝を設ける手法と異なり、吸収体５６のヨレやワレの発生及び吸収量の低下を防止しつつ、拡散性を向上させることができる。
【００７７】
拡散促進領域７０は、排尿口位置７１を含み、かつ吸収体５６の周縁より内側に離間している限り、製品種類やサイズにより適宜定めれば良いが、通常の場合、拡散促進領域７０の前後方向寸法は吸収体５６の前後方向寸法の２０〜６０％とすることができ、拡散促進領域７０の幅方向寸法は吸収体５６の幅方向寸法の４０〜６０％とすることができる。排尿口位置７１は男女で異なるため、拡散促進領域７０は男女両方の排尿口位置７１を含むように定めるほか、男女を区別して男専用又は女専用とする場合にはいずれか一方の排尿口位置７１を含むように定めることもできる。拡散促進領域７０の形状は図示例では矩形となっているが、前後方向に長い楕円形や、股間部の幅が狭い砂時計形状等、適宜の形状とすることができる。
【００７８】
拡散促進領域７０の前後方向位置及び幅方向位置は、拡散の程度に応じて適宜定めれば良いが、通常の場合、吸収体の前端を０％とし、吸収体の後端を１００％としたとき、拡散促進領域の前端は１０〜３０％に位置し、拡散促進領域の後端は５５〜８０％に位置していることが望ましい。
【００７９】
図示形態のように、包装シート５８が吸収体５６の裏側から幅方向両側を通り表側に回り込み、吸収体５６の表側で端部相互が重ねられてなるものである場合には、その包装シート５８の端部相互の重なり部分５８ｗが拡散促進領域７０を通るように構成するのが好ましい。包装シート５８の重なり部分は非重なり部分と比較して液透過性が低いため、拡散促進領域７０の拡散性をより一層向上させることができる。
【００８０】
吸収体５６の表側に位置する液透過性シート層としては、図示形態では、トップシート３０、中間シート４０、及び包装シート５８のうち吸収体５６の表側に位置する部分がこれに該当する。したがって、表裏方向に隣接する少なくとも一組の部材間を接着するホットメルト接着剤としては、（イ）トップシート３０をその裏側に隣接する部材に固定するために、トップシート３０の裏面に塗布されるトップシートホットメルト接着剤３１、（ロ）中間シート４０をその裏側に隣接する部材に固定するために、中間シート４０の裏面に塗布される中間シートホットメルト接着剤４１、（ハ）包装シート５８のうち吸収体５６の表面上に位置する部分を吸収体５６に固定するために、包装シート５８の内面に塗布される包装シートホットメルト接着剤５１がこれに該当する。
【００８１】
本発明では、これらトップシートホットメルト接着剤３１、中間シートホットメルト接着剤４１、及び包装シートホットメルト接着剤５１の少なくとも一つの塗布面積率が、拡散促進領域７０ではその周囲の領域よりも高くされていれば良い。したがって、図示しないが、トップシートホットメルト接着剤３１、中間シートホットメルト接着剤４１、及び包装シートホットメルト接着剤５１の全てや複数の塗布面積率が、拡散促進領域７０でその周囲の領域よりも高くすることができる。
【００８２】
拡散促進領域７０を形成するホットメルト接着剤は、拡散促進領域７０におけるホットメルト接着剤の塗布面積率が、周囲の領域におけるホットメルト接着剤の塗布面積率よりも高ければ良いが、例えば９０〜１００％、特に１００％（ベタ塗り）とするのが好ましく、その周囲の領域におけるホットメルト接着剤の塗布面積率は５〜６０％とするのが好ましい。
【００８３】
拡散促進領域７０を形成するホットメルト接着剤については、拡散促進領域７０におけるホットメルト接着剤ＨＭ１の塗布パターンはベタ塗り（連続層状に塗布）とするのが望ましいが、拡散を促進しうる緻密なパターンであればサミット塗布方式等による螺旋状パターン等の間欠的なパターンとすることもできる。また、拡散促進領域７０を形成するホットメルト接着剤を拡散促進領域７０の周囲の領域にも塗布する場合には、当該周囲の領域におけるホットメルト接着剤ＨＭ２の塗布パターンは、図１０（ａ）に示すように点状の塗布部が間隔を空けて配置された散点状パターンや、図１０（ｂ）に示すように線状の塗布部が前後方向（又は幅方向）に間隔を空けて配置された縦縞状（又は横縞状）のパターン、図１１（ａ）に示すように排尿口位置７１を囲む環状の塗布部が間隔を空けて多重配置された環状パターン、図１１（ｂ）に示すようにサミット塗布やスパイラル塗布方式による螺旋状パターン等の間欠的なパターンとすることができる。
【００８４】
拡散促進領域７０を形成しないホットメルト接着剤ＨＭ３の塗布パターン（例えば図９（ａ）に示す形態におけるトップシートホットメルト接着剤３１及び包装シートホットメルト接着剤５１）は、拡散促進領域７０の促進作用に影響しないように、全体に一様で、間欠的なパターンが望ましい。具体的には、拡散促進領域７０を形成しないホットメルト接着剤ＨＭ３の塗布パターンは、図１２（ａ）に示すように点状の塗布部が間隔を空けて配置された散点状パターンや、図１２（ｂ）に示すように線状の塗布部が前後方向（又は幅方向）に間隔を空けて配置された縦縞状（又は横縞状）のパターン、図１３（ａ）に示すように排尿口位置７１を囲む環状の塗布部が間隔を空けて多重配置された環状パターン、図１３（ｂ）に示すようにサミット塗布やスパイラル塗布方式による螺旋状パターン等の間欠的なパターンとすることができる。
【００８５】
ここで、図９（ｂ）に示すように、トップシートホットメルト接着剤３１の塗布面積率を拡散促進領域７０において増加すると、トップシートホットメルト接着剤３１が肌に接触し、付着するおそれがある。この場合、トップシート３０上で尿の拡散性が向上するため、その程度によっては漏れにつながるおそれもある。また、図９（ｃ）に示すように、包装シートホットメルト接着剤５１の塗布面積率を拡散促進領域７０において増加した場合、肌への接触は防止できるが、直ぐ裏側の部位への尿供給が阻害されるおそれがあり、吸収量が低下するおそれがある。これらに対して、図９（ａ）に示すように、中間シートホットメルト接着剤４１の塗布面積率を拡散促進領域７０において増加した場合には、主に中間シート４０内において前後左右方向に拡散するため、他の形態で想定される問題は発生しにくいものとなる。
【００８６】
もっとも、中間シートホットメルト接着剤４１の塗布面積率を拡散促進領域７０において増加させるには、中間シート４０が拡散促進領域７０と同じか又はそれよりも広いことが必要となる。中間シート４０が拡散促進領域７０と同じ面積である場合には、必然的に中間シートホットメルト接着剤４１が拡散促進領域７０にのみ存在し、その周囲の領域には存在していない形態となり、中間シート４０が拡散促進領域７０よりも広い場合には、中間シートホットメルト接着剤４１が拡散促進領域７０及びその周囲の領域にわたり存在している形態、又は中間シートホットメルト接着剤４１が拡散促進領域７０にのみ存在し、その周囲の領域には存在していない形態となるが、いずれの形態も本発明に含まれるものである。特に、中間シート４０が拡散促進領域７０よりも広い形態では、中間シート４０の周縁側の部分に、ホットメルト接着剤の塗布面積率が拡散促進領域７０よりも低い部分、つまり液が拡散しにくく、裏側に透過しやすい部分が形成されるため、中間シート４０内で拡散された尿が裏側に効率良く供給されるようになる。
【００８７】
図９（ａ）に示すように、トップシートホットメルト接着剤３１、中間シートホットメルト接着剤４１、及び包装シートホットメルト接着剤５１を有する形態において、中間シートホットメルト接着剤４１の塗布面積率のみを拡散促進領域７０において増加させる場合、トップシートホットメルト接着剤３１の塗布目付け及び包装シートホットメルト接着剤５１の塗布目付けを、中間シートホットメルト接着剤４１の塗布目付けより低くすることが望ましい。このような塗布目付けの関係とすると、尿の拡散はトップシート３０上よりも中間シート４０上で主に行われ、拡散後の尿の吸収体５６への移行も速やかとなるため好ましい。
【００８８】
具体的には、中間シートホットメルト接着剤４１の塗布目付けは５〜２０ｇ／ｍ2程度とすることが好ましく、トップシートホットメルト接着剤３１の塗布目付けは１〜３ｇ／ｍ2程度とすることが好ましく、包装シートホットメルト接着剤５１の塗布目付けは拡散促進領域７０では０．５〜１．５ｇ／ｍ2、その他の領域では１〜５ｇ／ｍ2程度とすることが好ましい。また、これらトップシートホットメルト接着剤３１及び包装シートホットメルト接着剤５１の塗布方式は、スパイラル塗布やサミット塗布、パターン塗布等による間欠塗布が好ましい。
【００８９】
＜その他＞
（ａ）拡散促進領域７０の周囲の領域では、拡散性を低下させ、吸収体５６への吸収を促進させないと、漏れにつながるおそれがある。よって、拡散促進領域７０ではトップシート３０の表面に凹凸を形成しない方が望ましいのに対して、その周囲の領域では図１４に示すように、トップシート３０の表面に多数の凹凸３０ｐ，３０ｄを形成し、この凹凸障壁により拡散性を低下させるのも好ましい。
【００９０】
このような凹凸３０ｐ，３０ｄはトップシート３０にエンボス加工を施す等により形成することができ、特に図１４に示すように、トップシート３０に、裏側から表側に押し出されてなる押し出し隆起部３０ｐが、幅方向及び前後方向にそれぞれ間隔を空けて多数配列され、隣接する押し出し隆起部の間の凹部３０ｄがホットメルト接着剤３１を介して裏側の部材（この場合は中間シート４０）と接合された形態が好適である。
【００９１】
（ｂ）図１５及び図１６に示すように、拡散促進領域７０の幅方向両端部又は拡散促進領域７０の幅方向外側に、おむつ表面から吸収体５６まで食い込む側部エンボス凹部８０がそれぞれ形成されているのも一つの好ましい形態である。これにより、幅方向断面形状が、側部エンボス凹部８０に向かうにつれて厚みが低下する山形状となり、拡散促進領域７０では排尿位置から側部エンボス凹部８０に向かう傾斜により拡散性が向上し、拡散促進領域７０の幅方向外側では側部エンボス凹部８０に向かう傾斜により幅方向外側への拡散が抑制されるため、拡散性が向上しつつも漏れにくいものとなる。また、側部エンボス凹部８０によりトップシート３０、中間シート４０、及び包装シート５８が吸収体５６にしっかりと密着し、吸収体５６への尿の移動が促進されるため、トップシート３０、中間シート４０、及び包装シート５８における液残りが低減し、おむつ表面がさらっとした肌触り（乾燥した肌触り）に保たれる性能を向上させることができる。
【００９２】
このような側部エンボス凹部８０とともに、又はこれに代えて、拡散促進領域７０の前後方向両端部又は拡散促進領域７０の前後両側に、おむつ表面から吸収体５６まで食い込む前後エンボス凹部８１を形成することもできる。その作用は、方向が異なるだけで、側部エンボス凹部８０と基本的に同様である。
【００９３】
＜明細書中の用語の説明＞
明細書中の以下の用語は、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味する。
【００９４】
・「伸長率」は、自然長を１００％としたときの値を意味する。
【００９５】
・「ゲル強度」は次のようにして測定されるものである。人工尿（尿素：２０ｗｔ％、食塩：８ｗｔ％、塩化カルシウム二水和物：０．３ｗｔ％、酸化マグネシウム七水和物：０．８ｗｔ％、純水：７０．０１ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００９６】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【００９７】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００９８】
・吸水量は、ＪＩＳ  Ｋ７２２３−１９９６「高吸水性樹脂の吸水量試験方法」によって測定する。
【００９９】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１００】
・試験や測定における環境条件についての記載が無い場合、その試験や測定は、標準状態（試験場所は、温度２０±５℃、相対湿度６５％以下）の試験室又は装置内で行うものとする。
【産業上の利用可能性】
【０１０１】
本発明は、上記例のようなパンツタイプ使い捨ておむつの他、テープタイプ使い捨ておむつや、パッドタイプ使い捨ておむつ等、使い捨ておむつ全般に利用できるものである。
【符号の説明】
【０１０２】
Ｌ…中間領域、Ｔ…胴周り領域、Ｕ…ウエスト下方部、Ｗ…ウエスト部、１１…液不透過性シート、１２…外装体、１２Ａ…サイドシール部、１２ｒ…折り返し部分、３０…トップシート、３１…トップシートホットメルト接着剤、４０…中間シート、４１…中間シートホットメルト接着剤、５０…吸収要素、５１…包装シートホットメルト接着剤、５６…吸収体、５８…包装シート、６０…立体ギャザー、６２…ギャザーシート、７０…拡散促進領域、７１…排尿口位置、８０…側部エンボス凹部、８１…前後エンボス凹部、２００…内装体。
【図１】
0006504699.tif 000002
【図２】
0006504699.tif 000003
【図３】
0006504699.tif 000004
【図４】
0006504699.tif 000005
【図５】
0006504699.tif 000006
【図６】
0006504699.tif 000007
【図７】
0006504699.tif 000008
【図８】
0006504699.tif 000009
【図９】
0006504699.tif 000010
【図１０】
0006504699.tif 000011
【図１１】
0006504699.tif 000012
【図１２】
0006504699.tif 000013
【図１３】
0006504699.tif 000014
【図１４】
0006504699.tif 000015
【図１５】
0006504699.tif 000016
【図１６】
0006504699.tif 000017